(57)【要約】【課題】洗濯物の取付から取り外しまで片手でシンプルに操作できる衣類ハンガー。【解決手段】  固定部に取付けて支持するための支持体と、この支持体に結合された基台と、この基台に組み込まれた挟持体とから構成される衣類ハンガーであり、この挟持体は一対の対向する挟持片を有し、この一対の挟持片の両側端にはヒンジを設けて基台に対して開いた状態と閉じた状態間で揺動可能にし、この一対の挟持片が閉じた状態から一方向にのみ揺動し逆方向の揺動を抑止する抑止部を設け、この一対の挟持片の間には挟持部を設け、外方からこの挟持部に略水平方向に向かう挟持体導入部が設けられている衣類ハンガーである。【選択図】図７
2014091015.tif 000002
【特許請求の範囲】
【請求項１】
支持体と、この支持体に結合された基台と、この基台に組み込まれた挟持体とから構成される衣類ハンガーであり、この挟持体は一対の対向する挟持片を有し、この一対の挟持片の両側端にはヒンジを設けて基台に対して開いた状態と閉じた状態間で揺動可能にし、この一対の挟持片が閉じた状態から一方向にのみ揺動し逆方向の揺動を抑止する抑止部を設け、この一対の挟持片の間には挟持部を設け、外方からこの挟持部に略水平方向に向かう挟持体導入部が設けられている衣類ハンガー。
【請求項２】
請求項１の衣類ハンガーにおいて、挟持体導入部は外方から挟持部に向かって間隔が狭くなる楔型の形状とする衣類ハンガー。
【請求項３】
請求項１または請求項２の衣類ハンガーの基台および挟持体を同一材料で一体に形成した衣類ハンガー。
【請求項４】
請求項１または請求項２の挟持体を第一の挟持部の方向に延長して、この挟持体に複数の洗濯物を吊るせる長さとした衣類ハンガー。
【請求項５】
請求項４の衣類ハンガーの基台および挟持体を、第一の基台および挟持体と、第二の基台および挟持体に分割し、第一の基台および挟持体と、第二の基台および挟持体との間に基台ヒンジを設けて、この基台ヒンジを中心に開閉可能とした衣類ハンガー。
【請求項６】
請求項１乃至請求項５の衣類ハンガーの挟持体の挟持片の上方の第一の挟持部近傍に挟持体突起を設けた衣類ハンガー。
【発明の詳細な説明】
【技術分野】
【０００１】
この発明は、洗濯物を吊り下げて乾燥させる衣類ハンガーに関する。
【背景技術】
【０００２】
従来から、洗濯物を乾燥させる場合は角形や丸型の枠体に多数のピンチを吊り下げた衣類ハンガーを用いていた。しかしながら、従来の衣類ハンガーでは、洗濯物を挟んだり取り外したりするとき、一方の手でピンチを開き、他方の手で洗濯物を挿入したり外したりして、両手を必要としていた。片手が不自由な人にとっても、健常者にとっても、片手だけで洗濯物を取付け、取り外しできる衣類ハンガーが望まれていた。
【先行技術文献】
【特許文献】
【０００３】
【特許文献１】特開2009-195448
【特許文献２】実開平7-33289
【特許文献３】特開2012-125446
【特許文献４】特開2009-165750
【発明の概要】
【発明が解決しようとする課題】
【０００４】
特許文献１の従来技術は、従来のピンチを使わず簡略化したものであるが、洗濯物を挟むとき、一方の手で本体挿入部２を押えてから他方の手で洗濯物を挿入する必要があり、両手が必要であった。
【０００５】
特許文献２の従来技術も、挟み板１を一方の手で押さえてから、他方の手で洗濯物を挿入するもので、両手が必要であった。
【０００６】
特許文献３の従来技術は、洗濯物を挿入するとき指でレバー７を同時に押し上げて開くものであるが、指をレバー７に挟み込まないよう注意深く操作する必要があった。また、洗濯物を外すときは洗濯物を一方の手で持ってから他方の手で摘み部１０を操作しないと、洗濯物が地上に落下する問題点があった。
【０００７】
特許文献４の従来技術は、洗濯物を挿入するとき、同時に指でフック部１３を押し上げる必要があり、指を挟まないよう注意する必要があった。このとき、縦辺部１１が左右から接近しており、操作し難かった。また、洗濯物を介して側方からフック部１３を開こうとするとスリップしてしまい、片手だけで洗濯物を挿入するのは事実上困難であった。さらに、フック部１３が縦辺部１１に噛み込んで、フック部１３が開き難くなるという問題点もあった。
【課題を解決するための手段】
【０００８】
固定部に取付けて支持するための支持体と、この支持体に結合された基台と、この基台に組み込まれた挟持体とから構成される衣類ハンガーであり、この挟持体は一対の対向する挟持片を有し、この一対の挟持片の両側端にはヒンジを設けて基台に対して開いた状態と閉じた状態間で揺動可能にし、この一対の挟持片が閉じた状態から一方向にのみ揺動し逆方向の揺動を抑止する抑止部を設け、この一対の挟持片の間には挟持部を設け、外方からこの挟持部に略水平方向に向かう挟持体導入部が設けられている衣類ハンガーである。
【発明の効果】
【０００９】
上記の問題点を解決し、洗濯物の取り付け、取り外しが片手だけで素早く行える。
【図面の簡単な説明】
【００１０】
【図１】第一の実施例を示す衣類ハンガーの全体斜視図である。
【図２】第一の実施例を示す衣類ハンガーの挟持体近傍の斜視図である。
【図３】第一の実施例を示す衣類ハンガーの基台の斜視図である。
【図４】第一の実施例を示す衣類ハンガーの挟持体の斜視図である。
【図５】第一の実施例の衣類ハンガーの挟持体の開いた状態を示す斜視図である。
【図６】第一の実施例の衣類ハンガーに洗濯物を挿入し始めの状態を示す斜視図である。
【図７】第一の実施例の衣類ハンガーに洗濯物を奥まで挿入した状態を示す斜視図である。
【図８】第一の実施例の衣類ハンガーに洗濯物を挿入し挟持し終えた状態を示す斜視図である。
【図９】第一の実施例の衣類ハンガーから洗濯物を取り外す状態を示す斜視図である。
【図１０】第二の実施例である挟持突起を設けた状態を示す斜視図である。
【図１１】第二の実施例の図１０のＢＢ断面図である。
【図１２】第三の実施例である挟持体の部分の一組を用いた斜視図である。
【図１３】第四の実施例である挟持体の部分の一組を用い傾斜させた斜視図である。
【図１４】第五の実施例である基台と挟持体を一体の部材で形成した斜視図である。
【図１５】挟持体の力学的関係を示す図である。
【図１６】第六の実施例であるピンヒンジを用いた斜視図である。
【図１７】第六の実施例のピンヒンジを用いた基台を示す斜視図である。
【図１８】第六の実施例のピンヒンジを用いた挟持体を示す斜視図である。
【図１９】第七の実施例である基台と挟持体を一体の部材で形成し、挟持体突起部を設けた衣類ハンガーの斜視図である。
【図２０】図１９のＥＥ断面図である。
【図２１】第八の実施例である基台と挟持体を一体の部材で形成し、傾斜させた衣類ハンガーの斜視図である。
【図２２】第九の実施例である挟持体を延長した長型の衣類ハンガーの斜視図である。
【図２３】第十の実施例である挟持体を延長し、挟持片を傾斜させた長型の衣類ハンガーの斜視図である。
【図２４】第十一の実施例である挟持体を延長し、挟持片を開閉可能とした長型の衣類ハンガーの斜視図である。
【図２５】第十一の実施例である挟持体を延長し、挟持片を開閉可能とした衣類ハンガーの動作説明図である。
【図２６】単一の挟持体を用いる第１２の実施例を示す図である。参考図１は挟持片が開いた状態を示す。
【図２７】単一の挟持体を用いる第１３の実施例を示す図である。参考図１は挟持片が開いた状態を示す。
【発明を実施するための形態】
【００１１】
固定部に取付けて支持するための支持体と、この支持体に結合された基台と、この基台に組み込まれた挟持体とから構成される衣類ハンガーであり、この挟持体は一対の対向する挟持片を有し、この一対の挟持片の両側端にはヒンジを設けて基台に対して揺動可能にし、この一対の挟持片が水平位置から下方へ傾斜するのを抑止する抑止部を設け、この一対の挟持片の間には略水平方向に延在する挟持部を設け、外方からこの挟持部に略水平方向に向かう挟持体導入部が設けられている衣類ハンガーである。
【００１２】
上記の衣類ハンガーにおいて、挟持体導入部は外方から挟持部に向かって間隔が狭くなる楔型の形状とする衣類ハンガーである。
【００１３】
上記の衣類ハンガーの基台および挟持体を同一材料で一体に形成した衣類ハンガーである。
【００１４】
上記の衣類ハンガーにおいて、挟持体を第一の挟持部の方向に延長して、この挟持体に複数の洗濯物を吊るせる長さとした衣類ハンガーである。
【００１５】
上記の衣類ハンガーの基台および挟持体を、第一の基台および挟持体と、第二の基台および挟持体に分割し、第一の基台および挟持体と、第二の基台および挟持体との間に基台ヒンジを設けて、この基台ヒンジを中心に開閉可能とした衣類ハンガーである。
【００１６】
上記の衣類ハンガーの挟持体の挟持片の上方の第一の挟持部近傍に挟持体突起を設けた衣類ハンガーである。
前記で水平方向とは、概ね水平方向という意味であり、この発明の趣旨を逸脱しない範囲で傾斜してもよいものとする。
【実施例】
【００１７】
この発明の第一の実施例の衣類ハンガーの全体を図1により説明する。実施例の衣類ハンガー１０は、物干し竿などの固定物に支持される支持体２０と、この支持体２０に結合された基台３０と、この基台３０に組み込まれた挟持体４０から構成されている。支持体２０は、レバー２１を握って開口部２２を開き、物干し竿などを掴んで固定することができる。基台３０は、上衣を掛ける衣類ハンガーの形状に水平方向に延在させ、複数の挟持体４０が直線状に配置されている。複数の挟持体４０は、角型や円型の基台に配列してもよい。
【００１８】
図２は、挟持体４０近傍を拡大したものであり、断面がコの字型の基台３０に挟持体４０を挿入した構成としている。図３は、基台３０を示し、硬質のプラスチック等で形成され、上部基台３１と下部基台３２には、それぞれ上部基台導入部３３と下部基台導入部３４が略台形状の凹部として形成されている。上部基台導入部３３は、下部基台導入部３４より大きく形成されており、その差の部分は抑止部３５を構成している。
【００１９】
図４は、挟持体４０を示し、天然ゴム、合成ゴム、シリコンゴム、エラストマーなどの軟質の弾性材料で形成されている。挟持体基部４１に対し、両側端をヒンジ４２により揺動可能に連結された一対の対向する挟持片４３が構成されている。ヒンジ４２は、下部に切れ込みを入れ、上部を薄く形成して薄板ヒンジとしている。一対の挟持片４３は、その合わせ面に関し面対称形状とし、合わせ面は略水平方向に第一の挟持部４５を構成している。その第一の挟持部４５に向かって略水平方向に楔型の凹部である挟持体導入部４７が形成されている。
【００２０】
挟持片４３と挟持体基部４１の間には、第二の挟持部４６も構成している。
図５は、挟持片４３を開いた状態を示す。挟持片４３は、ヒンジ４２を中心に容易に上方に回転し、第一の挟持部４５と第二の挟持部４６が開かれる。挟持片４３が閉じると、抑止部３５に支えられ、挟持片４３は下方への回転が抑止される。
【００２１】
次に、洗濯物の取付から取り外しの方法を説明する。
図６は、洗濯物Ｌを挿入し始めの状態を示す。洗濯物Ｌを挟持体導入部４７に向かって軽く押し付けながら、擦り上げるように動かす。挟持片４３は、上方には容易に回転できるので、洗濯物Ｌと挟持片４３の摩擦力により、挟持片４３は上方に回転する。
図７は、開いた挟持片４３の間に洗濯物Ｌが挿入された状態を示す。
【００２２】
図８は、洗濯物Ｌが挟持された状態を示す。挟持片４３は、抑止部３５に支えられ下方には回転しないので、第一の挟持部４５で洗濯物Ｌがしっかりと挟持される。なお、洗濯物Ｌをさらに奥まで挿入し、第二の挟持部４６で挟持するとさらに強固に洗濯物Ｌを挟持することができる。
【００２３】
図９は、洗濯物Ｌを取り外す状態を示す。単に洗濯物Ｌを指で摘み、上方に引き上げるだけで挟持片４３が開き、そのまま洗濯物Ｌを取り込むことができる。
以上の洗濯物Ｌの取付から取り外しまでを、片手の指２本だけのシンプルな動作で行うことができる。挟持体４０の上下とその周りも、障害物の無い自由空間であるので、洗濯物Ｌの取付・取り外し動作も制約を受けない利点がある。
【００２４】
図１０、図１１は、第二の実施例を示し、挟持片４３の第一の挟持部４５の上方に対向する位置に挟持体突起４８を設けたものである。第一の挟持部４５の合わせ面を広くして、洗濯物Ｌを挟み易くすると共に、挟持体突起４８で洗濯物を引っ掛けて、より落ち難くすることができる。
【００２５】
図１２により、第三の実施例を説明する。挟持体４０、基台３０の単体に、支持体２０として背板３６と粘着剤３７を設けて、浴室・台所の壁面に取り付けてタオルなどを吊り下げるようにしたものである。
【００２６】
図１３は、挟持体４０に傾斜を持たせた第四の実施例を示す。第一の挟持部４５が、背板３６側に傾斜しているので、タオルなどが手前に不用意に外れ難い効果がある。
【００２７】
図１４は、基台３０と挟持体４０を、ゴム、エラストマーなどの弾性材で一体に成形したのものである。単一材料で製造でき、組み付け工程も省略できる。
【００２８】
図１５は、挟持体４０を上方から見た平面図であり、挟持体４０の作動の力学的な効果を説明するものである。洗濯物Ｌが力Ｆｌで挟持体導入部４７に挿入され、挟持体導入部４７の壁面と第一の挟持部４５のなす角をＡとする。
洗濯物Lが、挟持体導入部４７の壁面を直角に押す力Ｆｍは、Ｆｌ/sin Aとなり、挟持体導入部４７の壁面と洗濯物Ｌとの摩擦力はμＦｌ/sin Aとなる。即ち、この摩擦力は挟持体導入部４７が無い場合のμＦｌに比べて、sin Aの逆数だけ大きくなる。ここで、μは洗濯物Ｌと挟持体導入部４７の間の摩擦係数である。
【００２９】
したがって、洗濯物Ｌを引き上げるとき、挟持片４３を開く力μＦｌ/sin Aは、挟持体導入部４７が無い場合に比べ、sin A の逆数だけ大きくなる。しかも、挟持片４３は２枚あるので挟持片４３を持ち上げる力は2倍の2μＦｌ/sin Aとなる。また、角Ａは奥に行くほど小さくしてあるので、洗濯物Ｌを引き上げて挟持片４３を開く力は、奥に行くほど大きくなる。
この大きさを試算すると、
Ａが３０度のとき、2/sin A＝４、
Ａが２０度のとき、2/sin A＝５．８、
Ａが１０度のとき、2/sin A＝１１．５、
となり、挟持体導入部４７がある場合、この数値だけ挟持片４３を持ち上げる力が大きくなり、洗濯物Ｌと挟持片４３がスリップし難くなることが解る。
【００３０】
さらに、第一の挟持部４５と直角方向の力Ｆoも挟持片４３を開く方向の力であり、Ｆｏ∝Fl/tan Aも楔効果により挟持片４３を開く方向に寄与し、奥に行くほど大きくなることが解る。
【００３１】
図１６，１７，１８は、ヒンジ４２を、ピンヒンジとした第六の実施例である。基台３０側にヒンジ穴３８と、挟持体４０側にヒンジピン４９を設けてあり、ヒンジ穴３８にヒンジピン４９を挿入して、揺動可能としている。
【００３２】
図１９は、基台３０と挟持体４０を同一の弾性材料で一体成型した第七の実施例である。図２０は、そのＥＥ断面である。挟持片４３は、第一の挟持部４５側を上に持ち上げて挟持片４３同士の間は少し間隙を開けて成形してある。また抑止部３５と挟持片ストッパー４４の間も少しの間隙を設けて成形してあある。使用時は、挟持片４３は重力により下降するので挟持片４３同士の間の間隙はなくなる。
【００３３】
図２１は、図２０の実施例の挟持体４０を傾斜させた第八の実施例である。
【００３４】
図２２は、一つの挟持体４０で複数の洗濯物Ｌを吊り下げ可能とした、長型の第九の実施例である。基台３０と挟持体４０を第一の挟持部４５の方向に略水平に連続的に延長して、両端に挟持体導入部４７を設けてある。基台３０の長手方向の中央部には支持体２０が設けられている。洗濯物Ｌは、挟持体導入部４７から引き上げながら挿入され、中央部に向かってスライドさせて移動することにより、複数の洗濯物Ｌを任意の間隔で吊り下げることができる。洗濯物Ｌを取り外すときは、洗濯物Ｌを下方から持ち上げながら、片方の端から他の端まで移動させて、全ての洗濯物Ｌをまとめて取り外すことができる。
【００３５】
図２３は、挟持体４０の中央部の第一の挟持部４５側を上に傾けた第１０の実施例である。洗濯物Ｌを挿入し易くし、洗濯物Ｌの重さで挟持片４３が下降して、洗濯物Ｌを押圧するので挟持力がより強くなる利点がある。
【００３６】
図２４、図２５は、基台３０を第一の基台３０１と第二の基台３０２に分割し、中央を基台ヒンジ３９により揺動可能に連結した第１１の実施例である。第一の基台３０１には、基台レバー７０が設けられ、基台レバー７０を矢印の方向に握ると、第一の基台３０１と第二の基台３０２と挟持片４３同士が開き、全部の洗濯物Ｌが一度に解放される。第一の基台３０１と第二の基台３０２は、図に示されていないバネにより閉じる方向に付勢されており、挟持片43同士が所定の間隔が維持されるようストッパーが設けられている。
【産業上の利用可能性】
【００３７】
家庭用の洗濯物を干すための衣類ハンガーであるが、構造上他の物を吊り下げる道具として利用可能である。
【符号の説明】
【００３８】
１０は衣類ハンガー
２０は支持体
２２は開口部
３０は基台
３１は上部基台
３２は下部基台
３３は上部基台導入部
３４は下部基台導入部
３５は抑止部
３６は基台背板
３７は粘着剤
３８はヒンジ穴
３９は基台ヒンジ
４０は挟持体
４１は挟持体基部
４２はヒンジ
４３は挟持片
４４は挟持片ストッパー
４５は第一の挟持部
４６は第二の挟持部
４７は挟持体導入部
４８は挟持体突起
４９はヒンジピン
６０は第二ストッパー
７０は基台レバー
８０はスリット
Ｌは洗濯物
Ｆは指
【図１】
2014091015.tif 000003
【図２】
2014091015.tif 000004
【図３】
2014091015.tif 000005
【図４】
2014091015.tif 000006
【図５】
2014091015.tif 000007
【図６】
2014091015.tif 000008
【図７】
2014091015.tif 000009
【図８】
2014091015.tif 000010
【図９】
2014091015.tif 000011
【図１０】
2014091015.tif 000012
【図１１】
2014091015.tif 000013
【図１２】
2014091015.tif 000014
【図１３】
2014091015.tif 000015
【図１４】
2014091015.tif 000016
【図１５】
2014091015.tif 000017
【図１６】
2014091015.tif 000018
【図１７】
2014091015.tif 000019
【図１８】
2014091015.tif 000020
【図１９】
2014091015.tif 000021
【図２０】
2014091015.tif 000022
【図２１】
2014091015.tif 000023
【図２２】
2014091015.tif 000024
【図２３】
2014091015.tif 000025
【図２４】
2014091015.tif 000026
【図２５】
2014091015.tif 000027
【図２６】
2014091015.tif 000028
【図２７】
2014091015.tif 000029